(57)【要約】【課題】  黄金色や耐食性を保ったままで、金の使用量を少なくすることができる金製又は金合金製の浴槽を具備した黄金風呂を提供する。【解決手段】  黄金色を呈する金製又は金合金製の浴槽と、該浴槽を底部からフランジ部までの間で支持する支持体とを有し、支持体内に浴槽が収められてなる黄金風呂。【選択図】        図１
2007021073.tif 000002
【特許請求の範囲】
【請求項１】
黄金色を呈する金製又は金合金製の浴槽と、該浴槽を底部からフランジ部までの間で支持する支持体とを有し、該支持体内に前記浴槽が収められてなることを特徴とする黄金風呂。
【請求項２】
前記浴槽の材質を１８Ｋとしてなることを特徴とする請求項１に記載の黄金風呂。
【請求項３】
前記支持体の材質をステンレス鋼としてなることを特徴とする請求項１又は２に記載の黄金風呂。
【請求項４】
前記支持体には、側部に黄金色を呈する金製又は金合金製の浴槽を見ることができる複数の開口部小枠が形成されていることを特徴とする請求項１〜３のいずれかに記載の黄金風呂。
【請求項５】
前記支持体には、浴槽不使用時において、その側部と前記浴槽の側部との間に隙間が形成されていることを特徴とする請求項１〜４のいずれかに記載の黄金風呂。
【請求項６】
前記フランジ部は、前記浴槽及び前記支持体の周縁が外側の下方に位置するように形成されていることを特徴とする請求項１〜５のいずれかに記載の黄金風呂。
【請求項７】
前記支持体の底部には、前記浴槽の底部が浴室の床面から所定間隔だけ隔てる脚部が設けられていることを特徴とする請求項１〜６のいずれかに記載の黄金風呂。
【発明の詳細な説明】
【技術分野】
【０００１】
本発明は、金の使用量の少ない金製又は金合金製の浴槽を具備した黄金風呂に関する。
【背景技術】
【０００２】
金は、耐食性や展延性、加工性の良さなどの特質をもち、その奇麗な黄金色と光沢とから、富の象徴とされ、古くから宝飾品、美術工芸品、貨幣などに使用されてきた。また近年、金の特質を利用してコネクターや半導体のリードフレームなどの工業用材料としても金が用いられている。
昨今、生活水準の向上に伴って、スプーン、フォーク、皿などの食器類を金製としたり、浴槽に金めっきを施したものが実用化されている。しかし、浴槽などのように、大型サイズのものは、均一な厚さで金めっきするのが困難であり、しかも、浴槽は、毎日使用後に洗剤やバス用薬品と共にタワシやスポンジ等により擦られたりする過酷な条件で使用されるため、ピンホール欠陥がなく金めっきするのも難しいという問題があった。そこで例えば特許文献１に、浴槽などに金めっきを施す金めっき容器類の製造方法が提案されている。
【特許文献１】特公平６−３１４６９号公報
【発明の開示】
【発明が解決しようとする課題】
【０００３】
しかしながら、特許文献１に記載のようにして浴槽に金めっきを施す場合には、ステンレススチール表面をラッピング研磨して、ステンレススチール製容器の表面に鏡面光沢を有する不活性化皮膜を形成させ、次いで該不活性化皮膜上に塩酸酸性金めっき液を用いためっき設備により、ピンホール欠陥がなく、均一な厚さで金めっきする技術を必要とした。
【０００４】
一方、めっき設備による金めっき技術によらず、金製又は金合金製の浴槽を水圧及び入浴に耐えられるようにするためには、その厚さを厚くするか、あるいは浴槽の材料強度を高める手段があるが、それぞれ問題があった。
すなわち、金製又は金合金製の浴槽の厚さを厚くするほど、貴重な資源である金の使用量が増えてしまう。また、浴槽の材料強度を高めるには、Ａｕに所定量のＡｇやＣｕを添加して金合金とするのが一般的であるが、合金元素が増えるに従って、黄金色や耐食性が減少してしまう。従って、金の合金化により、黄金色や耐食性を保ったままで、浴槽の強度向上を図るには限界がある。
【０００５】
本発明は、上記従来技術の問題点を解消し、黄金色や耐食性を保ったままで、金の使用量を少なくできる金製又は金合金製の浴槽を具備した黄金風呂を提供することを目的とする。
【課題を解決するための手段】
【０００６】
本発明は、以下のとおりである。
１．黄金色を呈する金製又は金合金製の浴槽と、該浴槽を底部からフランジ部までの間で支持する支持体とを有し、該支持体内に前記浴槽が収められてなることを特徴とする黄金風呂。
２．前記浴槽の材質を１８Ｋとしてなることを特徴とする上記１．に記載の黄金風呂。
【０００７】
３．前記支持体の材質をステンレス鋼としてなることを特徴とする上記１．又は２．に記載の黄金風呂。
４．前記支持体には、側部に黄金色を呈する金製又は金合金製の浴槽を見ることができる複数の開口部小枠が形成されていることを特徴とする上記１．〜３．のいずれかに記載の黄金風呂。
【０００８】
５．前記支持体には、浴槽不使用時において、その側部と前記浴槽の側部との間に隙間が形成されていることを特徴とする上記１．〜４．のいずれかに記載の黄金風呂。
６．前記フランジ部は、前記浴槽及び前記支持体の周縁が外側の下方に位置するように形成されていることを特徴とする上記１．〜５．のいずれかに記載の黄金風呂。
７．前記支持体の底部には、前記浴槽の底部が浴室の床面から所定間隔だけ隔てる脚部が設けられていることを特徴とする上記１．〜６．のいずれかに記載の黄金風呂。
【発明の効果】
【０００９】
本発明の黄金風呂によれば、黄金色や耐食性を保ったままで、金の使用量を少なくすることができるという効果を奏する。
【発明を実施するための最良の形態】
【００１０】
以下、本発明の実施の形態に係る黄金風呂の構成について図１〜図３を用いて説明する。
図１（ａ）は本発明の実施の形態に係る黄金風呂の正面図、（ｂ）はＸ−Ｘ矢視断面図である。また図２は、図１に示した黄金風呂の平面図、図３は、側面図である。
本発明の実施の形態に係る黄金風呂は、金製又は金合金製の浴槽１と、該浴槽１を底部Ａからフランジ部Ｃまでの間で支持する支持体２とを有し、該支持体２内に金製又は金合金製の浴槽１が収められてなることが特徴である。浴槽１を底部Ａからフランジ部Ｃまでの間で支持する支持体２としている理由は、浴槽１内に湯を満たして入浴した浴槽使用時に、浴槽１の側部Ｂが外側に大きく変形してしまうことを、支持体２の側部Ｂにより阻止するためである。
【００１１】
従って、本発明によれば、合金の添加量を必要以上に増やさず、黄金色や耐食性を保ったままで、支持体２を設けていない従来の金製又は金合金製の浴槽に比較して、浴槽１の側部Ｂの厚さｔを薄くすることができる。その結果、金の使用量を少なくすることができるという効果を奏する。その際、黄金色を呈する範囲内で合金化した金合金とするのが好ましく、浴槽１の材質を１８Ｋとしてなることが高い強度をもつ浴槽１とすることができので、一段と好ましい。また、支持体２の材質をステンレス鋼としてなることが、耐食性に優れ、かつステンレス鋼の金属光沢が良好であるので好ましい。ステンレス鋼のうちでもＳＵＳ３０４の支持体２とするのが加工性が良好でかつ熱伝導率が小さいので好ましい。
【００１２】
また、前記した黄金風呂の支持体２には、側部Ｂに、図１（ａ）に示すように、複数の開口部小枠が形成されているので黄金色を呈する金製又は金合金製の浴槽１を外側から見ることができる。このように、支持体２の側部Ｂに、複数の開口部小枠が形成されていることにより、浴槽使用時に、浴槽１の側部Ｂの外側への変形を一様にでき、また使用部材の量を少なくすることもできて軽量化を達成できる。さらにまた、黄金風呂の支持体２には、図１（ｂ）に示すように、浴槽不使用時において、支持体２の側部Ｂと浴槽１の側部Ｂとの間にある程度隙間が形成されているのが好ましい。この理由は、支持体２の側部Ｂと浴槽１の側部Ｂとの間に隙間がない場合には、該支持体２内に金製又は金合金製の浴槽１を収める際、浴槽１の側部Ｂが支持体２の側部Ｂと接触してしまい、金製又は金合金製の浴槽１の表面に擦り疵が生じる恐れがあるからである。
【００１３】
また前記したフランジ部Ｃは、浴槽１及び支持体２の周縁が外側の下方に位置するように成形されているのが好ましい。この理由は、浴槽使用時において、浴槽１及び支持体２の周縁が人に接触してしまうことを防ぐためであると共に、黄金色を呈する金製又は金合金製の浴槽１を底部Ａからフランジ部Ｃまでの間で支持体２で支持するためでもある。
ところで、支持体２の底部Ａには、浴槽１の底部Ａが浴室の床面から所定間隔だけ隔てる脚部Ｄが設けてあることが好ましい。この理由は、黄金色を呈する金製又は金合金製の浴槽１の底部Ａが浴室の床面を流れる使用後の入浴水により汚れるのを防ぎ、支持体２内に収められた浴槽１を取り出した後、浴槽１の底部Ａを清掃する作業者の作業負担を軽減できるからである。
【実施例】
【００１４】
浴槽１と、該浴槽１を底部Ａからフランジ部Ｃまでの間で支持する支持体２とをそれぞれ製作し、図１〜図３に示すように、支持体２内に浴槽を収めて黄金風呂とした。黄金風呂の仕様は次のとおりである。
浴槽１：１８Ｋ製
・浴槽１の内寸法：深さａ＝５５０ｍｍ、長さＬ＝１１００ｍｍ、幅Ｗ＝６００ｍｍ
・浴槽１の厚さｔ：底部Ａの厚さ＝１．５ｍｍ、側部Ｂの厚さ＝１．５ｍｍ、フラン  ジ部Ｃの厚さ＝１．５ｍｍ
・浴槽１の質量：５０Kg（金の質量＝（１８Ｋ／２４Ｋ）×５０＝３７．５Kg  ）
支持体２：ＳＵＳ３０４製
・支持体２の厚さ：底部Ａの厚さ＝３．０ｍｍ、側部Ｂの厚さ＝３．０ｍｍ、フランジ部Ｃの厚さ＝３．０ｍｍ
・支持体２の質量：３０Kg（脚部Ｄを含む）
上記の１８Ｋ製の浴槽１を支持体２内に収めてなる黄金風呂は、図４、図５に示すように浴室３内に配置した。図４、図５中、４，５は、開いたスライド式の正面扉を示す。
【００１５】
この浴室３内に配置した黄金風呂を使用した結果、１８Ｋ製の浴槽１が底部Ａからフランジ部Ｃ間での間でステンレス鋼製の支持体２で支持されている構造であるから、浴槽１内に湯を満たし入浴した場合でも、１８Ｋ製の浴槽１に予期しない変形が生じることもなく、黄金色を眺めながら快適に入浴することができた。また、複数の開口部小枠を介して外側から、黄金色を呈する金製又は金合金製の浴槽１を見ることができた。また、黄金風呂は、浴槽１が耐食性および強度に優れた１８Ｋ製であるから、毎日使用後に洗剤やバス用薬品と共にタワシやスポンジ等により擦られたりしても長期間にわたる使用に耐えると期待できる。またさらに、支持体２の材質が耐食性に優れたステンレス鋼製であるため、光沢が良好な状態で長期間にわたる使用に耐えると期待できる。
【図面の簡単な説明】
【００１６】
【図１】（ａ）は本発明の実施の形態に係る黄金風呂の正面図、（ｂ）はＸ−Ｘ矢視断面図である。
【図２】図１に示した本発明の実施の形態に係る黄金風呂の平面図である。
【図３】図１に示した本発明の実施の形態に係る黄金風呂の側面図である。
【図４】本発明の実施の形態に係る黄金風呂を配置した浴室の概略正面図である。
【図５】本発明の実施の形態に係る黄金風呂を配置した浴室の概略側面図である。
【符号の説明】
【００１７】
１  浴槽
ｔ  浴槽１の厚さ
２  支持体
Ａ  底部
Ｂ  側部
Ｃ  フランジ部
Ｄ  脚部
ａ  深さ
Ｌ  長さ
Ｗ  幅
３  浴室
４、５  正面扉
【図１】
2007021073.tif 000003
【図２】
2007021073.tif 000004
【図３】
2007021073.tif 000005
【図４】
2007021073.tif 000006
【図５】
2007021073.tif 000007